(57)【要約】【課題】放音孔の開口面積を少なくすることなく表示面からスピーカ側外縁までの長さを短縮することができるとともに、正面視でのデザイン性を高めることができる表示装置を提供する。【解決手段】前側に表示面１ａを有する表示部１と、該表示部１の下部に装着され、音波を前方へ放射するスピーカ２と、表示面１ａに対応する箇所が開放され、表示部１及びスピーカ２を被覆する前キャビネット本体３１とを備え、前キャビネット本体３１に、スピーカ２の前側で前後に貫通する第１の放音孔３３と、表示部１及びスピーカ２の間で表示面１ａに沿う方向に貫通する第２の放音孔３４とを設け、中・高音の音波を第１の放音孔３３から前方へ放音し、低音の音波を第２の放音孔３４から表示面１ａに沿う方向へ放音するように構成した。【選択図】図２
2008085661.tif 000002
【特許請求の範囲】
【請求項１】
前側に表示面を有する表示部と、該表示部の一側に装着され、音波を前方へ放射するスピーカと、前記表示面に対応する箇所が開放され、前記表示部及びスピーカを被覆するキャビネットとを備える表示装置において、前記キャビネットは、前記スピーカの前側で前後に貫通する第１の放音孔と、前記表示部及びスピーカの間で前記表示面に沿う方向に貫通する第２の放音孔とを有することを特徴とする表示装置。
【請求項２】
前記キャビネットは、前記第１の放音孔より前側で前記スピーカの表示部側部分を隠蔽する非孔壁部、及び前記第１の放音孔の部分と前記非孔壁部とに前後で連なる連壁部を有し、該連壁部に前記第２の放音孔を開設してある請求項１記載の表示装置。
【発明の詳細な説明】
【技術分野】
【０００１】
本発明は液晶表示装置、プラズマ表示装置等の表示装置に関する。
【背景技術】
【０００２】
液晶テレビ等の表示装置には、前側に表示面を有し、略直方体をなす表示部の横側又は下側にスピーカが装着されている（例えば特許文献１参照）。このスピーカは、低音用の音源及び中・高音用の音源と、該音源を縦、又は横に並べて保持する保持ケースとを備え、該保持ケースが表示部に取付けられている。
【特許文献１】特開２００５−１９１７８７号公報
【発明の開示】
【発明が解決しようとする課題】
【０００３】
ところが、特許文献１のように表示部の横側、又は下側にスピーカが装着されている表示装置にあっては、スピーカの全体が表示部の外側に配置されるため、表示部の横長さにスピーカの横幅が加えられた長さ、又は表示部の縦長さにスピーカの縦長さが加えられた長さになり、表示面から外縁までの長さが比較的長くなり、表示装置が大形になるし、また、正面視でのデザイン性が悪くなり、改善策が要望されていた。
【０００４】
本発明は斯かる事情に鑑みてなされたものであり、主たる目的は表示部及びスピーカを被覆するキャビネットに、スピーカの前側で前後に貫通する第１の放音孔と、表示部及びスピーカの間で表示面に沿う方向に貫通する第２の放音孔とを設けることにより、放音孔の開口面積を少なくすることなく表示面からスピーカ側外縁までの長さを短縮することができるとともに、正面視でのデザイン性を高めることができる表示装置を提供することにある。
【０００５】
また、他の目的は第１の放音孔より前側でスピーカの表示部側部分を隠蔽する非孔壁部、及び第１の放音孔の部分と非孔壁部とに前後で連なる連壁部をキャビネットが有し、連壁部に第２の放音孔を開設した構成とすることにより、音波のキャビネット内での放音抵抗を低減でき、良好な音質を得ることができる表示装置を提供することにある。
【課題を解決するための手段】
【０００６】
本発明に係る表示装置は、前側に表示面を有する表示部と、該表示部の一側に装着され、音波を前方へ放射するスピーカと、前記表示面に対応する箇所が開放され、前記表示部及びスピーカを被覆するキャビネットとを備える表示装置において、前記キャビネットは、前記スピーカの前側で前後に貫通する第１の放音孔と、前記表示部及びスピーカの間で前記表示面に沿う方向に貫通する第２の放音孔とを有することを特徴とする。
【０００７】
この発明にあっては、中・高音用の音源から放射された中・高音の音波を第１の放音孔から前方へ放音することができ、また、低音用の音源から放射された低音の音波を第２の放音孔から表示面に沿う方向へ放音することができる。また、第１の放音孔はスピーカの前側で前後に貫通しているのに対し、第２の放音孔は表示部及びスピーカの間で表示面に沿う方向に貫通しているため、放音孔の開口面積を少なくすることなくスピーカを表示部側に寄せて配置することができ、表示面の面積を変えることなく表示面からスピーカ側外縁までの長さを短縮することができ、表示装置を小形にできるとともに、正面視でのデザイン性を高めることができる。
【０００８】
また、本発明に係る表示装置は、前記キャビネットは、前記第１の放音孔より前側で前記スピーカの表示部側部分を隠蔽する非孔壁部、及び前記第１の放音孔の部分と前記非孔壁部とに前後で連なる連壁部を有し、該連壁部に前記第２の放音孔を開設してあることを特徴とする。
【０００９】
この発明にあっては、非孔壁部の内側を音波の通路にできるため、音波のキャビネット内での放音抵抗を低減でき、良好な音質を得ることができる。
【発明の効果】
【００１０】
以上詳述したように本発明によれば、放音孔の開口面積を少なくすることなくスピーカを表示部側に寄せて配置することができるため、表示面からスピーカ側外縁までの長さを短縮することができ、表示装置を小形にできる。しかも、表示面の面積を変えることなく表示面からスピーカ側外縁までの長さを短縮することができるため、正面視でのデザイン性を高めることができる。
【００１１】
また、本発明によれば非孔壁部の内側を音波の通路にできるため、音波のキャビネット内での放音抵抗を低減でき、良好な音質を得ることができる。
【発明を実施するための最良の形態】
【００１２】
以下本発明をその実施の形態を示す図面に基づいて詳述する。図１は本発明に係る表示装置の構成を示す正面図、図２は要部の構成を示す縦断側面図、図３は要部の構成を示す背面側斜視図、図４は要部の構成を示す正面の底側斜視図、図５はキャビネットの一部を省略した背面側斜視図である。
【００１３】
図示した表示装置はテレビ画像等を表示する表示面１ａを前側に有し、略直方形をなす表示部１と、該表示部１の下部両側に装着され、音波を前方へ放射するスピーカ２と、表示面１ａに対応する箇所が開放され、表示部１及びスピーカ２を被覆するキャビネット３とを備える薄型の液晶テレビである。
【００１４】
表示部１は前側に表示面１ａを有する液晶のパネル１１と、該パネル１１の後側に配置された光学シート１２と、バックライト部１３と、電源基板等のテレビ基板とを備える。
【００１５】
スピーカ２は、低音用の音源２１及び中・高音用の音源２２と、夫々の音源２１，２２を横に並べて保持し、音源２１が発生した低音の音波、及び音源２２が発生した中・高音の音波を前方へ放射する音波放射部を有する保持ケース２３とを備え、該保持ケース２３がキャビネット３の下部内側に取着されている。
【００１６】
キャビネット３は、表示部１の前側周縁部及びスピーカ２の前部を被覆する前キャビネット本体３１と、表示部１及びスピーカ２の周縁部より後側を被覆する後キャビネット本体３２とを備え、後キャビネット本体３２の前端部を前キャビネット本体３１の後端部内側に重合させた状態で互いに取外し可能に連結されている。
【００１７】
前キャビネット本体３１は表示部１の前側周縁部を被覆する矩形の枠部３１ａと、該枠部３１ａの下部に連なり、横方向の両端部に複数の第１の放音孔３３を有するスピーカ支持部３１ｂとを有し、該スピーカ支持部３１ｂの後面で、第１の放音孔３３に対応する箇所（両端側）に、二つのスピーカ２，２が取付けられる座部３１ｃが設けられており、夫々の座部３１ｃにスピーカ２，２の保持ケース２３がビスにより取外しを可能に取着されている。
【００１８】
スピーカ支持部３１ｂは、横長の矩形をなし、横方向の両端部に前後に貫通する第１の放音孔３３が開設されている放音板部３１ｄと、該放音板部３１ｄより前側でスピーカ２の上部、換言するとスピーカ２の表示部１側部分を隠蔽し、枠部３１ａに連なる非孔壁部３１ｅと、該非孔壁部３１ｅの下縁及び放音板部３１ｄの上縁に前後で連なり、横長の矩形をなす連壁板部３１ｆとを有し、該連壁板部３１ｆの長手方向両端部で、第１の放音孔３３に臨む箇所に、上下に貫通する複数の第２の放音孔３４を開設してある。
【００１９】
前キャビネット本体３１の内側で、非孔壁部３１ｅと枠部３１ａとの間には、スピーカ２の前面上部と僅少の間隔で対向する横板状の遮音壁３１ｇが設けられ、非孔壁部３１ｅの内側を、スピーカ２の前面と放音板部３１ｄとの間の放射音室３１ｈに連通する低音の音波通路３１ｉとしてある。また、放音板部３１ｄの前側には複数の細孔を有する装飾板３５が取付けられている。
【００２０】
後キャビネット本体３２は、後壁３２ａ及び該後壁３２ａの周縁に連なる二つの側壁、天壁及び底壁３２ｂを有する正面視矩形の深皿形をなしている。
【００２１】
以上のように構成された表示装置はスピーカ支持部３１ｂの横方向両端部の座部３１ｃに取着されているスピーカ２は上部を除く下側の前面が図２のように放音板部３１ｄの第１の放音孔３３と対向する位置にあり、スピーカ２の上部の前面が非孔壁部３１ｅと対向する位置にあり、スピーカ２の全体が表示部１側に寄せて配置されている。従って、表示面１ａからスピーカ２側下縁までの長さを短縮することができ、表示装置を小形にできる。また、表示面１ａからスピーカ２側下縁までの長さを短縮できるため、図１のように正面視でのデザイン性を高めることができる。
【００２２】
スピーカ２の中・高音用の音源２２から放射された中・高音の音波は指向性があるため、スピーカ２前方の第１の放音孔３３から前方へ放音することができ、また、低音用の音源２１から放射された低音の音波は指向性がないため、スピーカ２前方の放射音室３１ｈから低音の音波通路３１ｉを経て第２の放音孔３４から下方へ放音することができる。このように低音の音波を第１の放音孔３３と別個の第２の放音孔３４からキャビネット３の前方へ放音するため、非孔壁部３１ｅの内側を音波の通路にでき、音波のキャビネット３内での放音抵抗を低減でき、良好な音質を得ることができる。
【００２３】
尚、以上説明した実施の形態では表示部１の下側にスピーカ２が装着されている構成について説明したが、その他、スピーカ２は表示部１の両側部、一側部又は上部に装着されている構成であってもよく、略直方形をなす表示部１のいずれか一辺側に装着される構成であればよい。この場合、スピーカ２部分は図２に示す断面構造と同様になる。例えば、表示部１の両側部にスピーカ２が装着される場合、第１の放音孔３３は前後に開設され、第２の放音孔３４は横方向に開設、換言すると表示面１ａに沿う方向に開設される。
【００２４】
また、以上説明した実施の形態では表示部１の下部両側にスピーカ２，２を装着してなる表示装置について説明したが、その他、スピーカ２は表示部１の下部一側、下部中央部等の一箇所に備える構成としてもよい。
【００２５】
また、本発明に係る表示装置は液晶テレビ等の液晶表示装置である他、プラズマ表示装置、ＥＬディスプレィ等の表示装置であってもよい。
【図面の簡単な説明】
【００２６】
【図１】本発明に係る表示装置の構成を示す正面図である。
【図２】本発明に係る表示装置の要部の構成を示す縦断側面図である。
【図３】本発明に係る表示装置の要部の構成を示す背面側斜視図である。
【図４】本発明に係る表示装置の要部の構成を示す正面の底側斜視図である。
【図５】本発明に係る表示装置のキャビネットの一部を省略した背面側斜視図である。
【符号の説明】
【００２７】
１    表示部
１ａ  表示面
２    スピーカ
３    キャビネット
３３  第１の放音孔
３４  第２の放音孔
３１ｅ  非孔壁部
３１ｆ  連壁板部（連壁部）
【図１】
2008085661.tif 000003
【図２】
2008085661.tif 000004
【図３】
2008085661.tif 000005
【図４】
2008085661.tif 000006
【図５】
2008085661.tif 000007